(57)【要約】  構造を簡単にしうるだけでなく、高精度の精密な加工を必要とせず、しかも流体の流量を適正に調整しうるようにした流量調整装置を提供する。  流量調整装置が、流体の流入口と流出口２とを有するケーシング３と、流入口と流出口２とのいずれか一方の開口部に沿って摺動しつつ往復運動しうるようにしてケーシング３内に配設され、かつ一移動方向に向かって拡開する流量調整口４を備え、開口部２ａと流量調整口４との重合部分により、流通する流体の流量を制限するようにした遮蔽板５と、ケーシング３に設けられ、遮蔽板５を往復運動させる駆動手段６とを備えるものとする。
2016027309.tif 000002
【特許請求の範囲】
【請求項１】
流体の流入口と流出口とを有するケーシングと、
前記流入口と流出口とのいずれか一方の開口部に沿って摺動しつつ往復運動しうるようにして前記ケーシング内に配設され、かつ一移動方向に向かって拡開する流量調整口を備え、前記開口部と流量調整口との重合部分により、流通する流体の流量を制限するようにした遮蔽板と、
前記ケーシングに設けられ、前記遮蔽板を往復運動させる駆動手段
とを備えることを特徴とする流量調整装置。
【請求項２】
遮蔽板に、複数の流量調整口を並設した請求項１記載の流量調整装置。
【請求項３】
ケーシングに、駆動手段によって中心軸線回りに往復回動させられるようにした回転軸を設け、前記回転軸に、前記軸線を曲率中心とする円弧状とした遮蔽板を、支持板を介して固着した請求項１または２記載の流量調整装置。
【請求項４】
駆動手段を、遮蔽板を往復運動させるモータとし、このモータを、自動制御装置により制御するようにした請求項１〜３のいずれかに記載の流量調整装置。
【請求項５】
流量調整口を、先尖部が遮蔽板の一移動方向を向く二等辺三角形とした請求項１〜４のいずれかに記載の流量調整装置。
【請求項６】
流量調整口の形状である二等辺三角形の対向辺同士を、互いに内方に突出する湾曲形状とした請求項５記載の流量調整装置。
【発明の詳細な説明】
【技術分野】
【０００１】
本発明は、流体の流量を調整する装置に関する。
【背景技術】
【０００２】
流量調整装置としては、周面に多数の孔を穿設した半円筒状の整流板の内側に、整流板における半円部の中心に位置する駆動軸と、この駆動軸に取り付けられた、円弧状でかつ細長い長方形状の遮蔽板とを有するダンパを配設し、駆動軸を回動させて、遮蔽板によって、整流板の多数の孔の一部または全部を遮蔽することにより、風箱内を流通する空気の流量を調整するようにしたものがある(例えば特許文献１参照)。
【先行技術文献】
【特許文献】
【０００３】
【特許文献１】特開平９−２０３５５３号公報
【発明の概要】
【発明が解決しようとする課題】
【０００４】
上記のような従来の流量調整装置においては、ダンパ以外に整流板を必要とし、構造が複雑になるだけでなく、整流板の内面とダンパの外面とが密接状態で摺動するように、それらの表面を高精度で曲面加工しなければ、空気漏れが生じたり、ダンパが整流板の内面に圧接して、作動不良を生じたりすることがある。【０００５】
本発明は、上記問題点に鑑みてなされたもので、構造を簡単にしうるだけでなく、高精度の精密な加工を必要とせず、しかも流体の流量を適正に調整しうるようにした流量調整装置を提供することを目的としている。
【課題を解決するための手段】
【０００６】
本発明によると、上記課題は、次のようにして解決される。
（１）流体の流入口と流出口とを有するケーシングと、前記流入口と流出口とのいずれか一方の開口部に沿って摺動しつつ往復運動しうるようにして前記ケーシング内に配設され、かつ一移動方向に向かって拡開する流量調整口を備え、前記開口部と流量調整口との重合部分により、流通する流体の流量を制限するようにした遮蔽板と、前記ケーシングに設けられ、前記遮蔽板を往復運動させる駆動手段とを備えるものとする。【０００７】
このような構成によると、ケーシングの流入口と流出口とのいずれか一方の開口部と遮蔽板の流量調整口との重合部分により、流通する流体の流量を制限することができるので、遮蔽板を往復運動させるだけで、流量を簡単かつ適正に制御することができ、しかも、従来の装置におけるような整流板を設ける必要がないので、構造を簡素化しうるだけでなく、高精度の精密な加工を必要とせず、容易に製造することができる。【０００８】
（２）上記(１)項において、遮蔽板に、複数の流量調整口を並設する。【０００９】
このような構成によると、複数の流量調整口から流体が流出するので、流出する流体を整流化させることができる。【００１０】
（３）上記(１)または(２)項において、ケーシングに、駆動手段によって中心軸線回りに往復回動させられるようにした回転軸を設け、前記回転軸に、前記軸線を曲率中心とする円弧状とした遮蔽板を、支持板を介して固着する。【００１１】
このような構成によると、回転軸を回動させるだけで、それとともに遮蔽板を回動させて、流量を簡単かつ適正に調整することができ、しかも、構造を簡素化することができる。【００１２】
（４）上記(１)〜(３)項のいずれかにおいて、駆動手段を、遮蔽板を往復運動させるモータとし、このモータを、自動制御装置により制御するようにする。【００１３】
このような構成によると、遮蔽板の移動を自動的に制御することができる。
（５）上記(１)〜(４)項のいずれかにおいて、流量調整口を、先尖部が遮蔽板の一移動方向を向く二等辺三角形とする。【００１４】
このような構成によると、流量を、遮蔽板の移動量に関連づけることができ、流量の制御が容易になる。【００１５】
（６）上記(５)項において、流量調整口の形状である二等辺三角形の対向辺同士を、互いに内方に突出する湾曲形状とする。【００１６】
このような構成によると、遮蔽板の移動量と流体の流量との関係を適正化することができる。
【発明の効果】
【００１７】
本発明によると、構造を簡単にしうるだけでなく、高精度の精密な加工を必要とすることなく、流体の流量を適正に調整しうるようにした流量調整装置を提供することができる。
【図面の簡単な説明】
【００１８】
【図１】本発明の流量調整装置の一実施形態の斜視図である。
【図２】同じく正面図である。
【図３】同じく右側面図である。
【図４】図２のIV−IV線における横断平面図である。
【図５】図２のV−V線における縦断側面図である。
【図６】流量調整口の変形例における遮蔽板の展開図である。
【図７】図６に示す遮蔽板を使用した実験結果を、回転軸の回転角度と流量調整装置を通過する風量との関係をもって示す図である。
【図８】駆動装置の変形例を示す縦断側面図である。
【発明を実施するための形態】
【００１９】
以下、本発明の一実施形態を、図面に基づいて説明する。
図１〜図５に示すように、この流量調整装置は、後面と前面にそれぞれ流体の流入口１と流出口２とを有するケーシング３(図５)と、流入口１と流出口２とのいずれか一方、この例では、流出口２の口縁に沿って摺動しつつ往復運動しうるようにしてケーシング３内に配設され、かつ一移動方向に向かって拡開する５個の流量調整口４を備え、上記開口部２ａと流量調整口４との重合部分により、流通する流体の流量を制限するようにした遮蔽板５と、ケーシング３に設けられ、遮蔽板５を往復運動させる駆動手段６とを備えている。
【００２０】
ケーシング３は、前面と後面とが開口する直方体の枠状をなし、その頂壁３ａの下面に、側面視において下向きの円弧面７ａと、その前後の縁より起立する垂直片７ｂ、７ｃとを有するガイド板７を、同じく、底壁３ｂの上面に、側面視において上向きの円弧面８ａと、その前後の縁より垂下する垂直片８ｂ、８ｃとを有するガイド板８を設けることにより、ケーシング３内に、前面と後面とが開口するほぼ横向き円筒形の空間Ｓ(図４および図５)が形成されている。なお、これらのガイド板７、８は、上下の垂直片７ｂ、８ｂのみを残して、他部を省略して実施することもある。
【００２１】
上下のガイド板７、８の円弧面７ａ、８ａの後縁と、左右の側板３ｃ、３ｄとによって、上記流入口１が形成され、かつ上下のガイド板７、８の円弧面７ａ、８ａの前縁と、左右の側板３ｃ、３ｄとによって、上記流出口２が形成されている。
【００２２】
ケーシング３の右側板３ｄの外側面中央部には、ギヤボックス９が設けられ、このギヤボックス９に設けた軸受１０と、ケーシング３の左側板３ｃの外側面に設けた軸受１１とによって、左右方向を向く回転軸１２が、円筒形の空間Ｓの中心に位置し、かつ両側板３ｃ、３ｄを貫通するようにして枢支されている。
【００２３】
円筒状の空間Ｓ内において、回転軸１２には、互いに左右方向に離間するほぼ半円弧状をなす３枚の支持板１３における円弧の中心部が固着され、この３枚の支持板１３の外周部には、ほぼ半円筒状をなす遮蔽板５の内面が固着され、遮蔽板５は、支持板１３および回転軸１２と一体となって、回転軸１２の中心軸回りに回動しうるようになっている。
【００２４】
遮蔽板５の外周面の曲率半径は、回転軸１２の中心軸線から流出口２の開口部２ａの上下の内縁までの距離とほぼ同一か、またはわずかに小としてある。
なお、流出口２の口縁に、摺動抵抗の小さいシール部材(図示略)を設けることがある。その場合には、遮蔽板５の外周面の曲率半径は、回転軸１２の中心軸からシール部材の内周面までの距離とほぼ同一とする。
【００２５】
上下のガイド板７、８の円弧面７ａ、８ａの曲率半径は、遮蔽板５の外周面の曲率半径に近づけるのが好ましいが、加工精度を高める必要をなくすためには、遮蔽板５の外周面の曲率半径よりわずかに大とするのがよい。
【００２６】
遮蔽板５に設けた５個の流量調整口４は、回転軸１２の中心軸線と平行に、等間隔で並設されている。
各流量調整口４の形状は、三角形の頂点である先尖部が下方を向き、互いに対向する対向辺４ａ、４ｂが上方に向かって互いに拡開し、かつ本来の底辺４ｃが上方に位置する倒立二等辺三角形としてある。
【００２７】
駆動手段６は、図１〜図４に示すように、ギヤボックス９内において、回転軸１２に固嵌されたウォームホイール１４と、ギヤボックス９に回転自在に枢支され、ギヤボックス９より垂下し、下端に操作ハンドル１５が設けられた上下方向を向く回転操作軸１６と、ギヤボックス９内において、回転操作軸１６に固嵌され、ウォームホイール１４と噛合するウォーム１７とからなっている。
【００２８】
図３に示すように、ギヤボックス９の外側面には、本流量調整装置の開度を示す目盛り１８が付設されており、かつギヤボックス９の外側面より外側方に突出する回転軸１２の端部には、開度目盛り１８を指し示す指針１９が取付けられている。
【００２９】
操作ハンドル１５を回転させることにより、ウォーム１７とウォームホイール１４とを介して、回転軸１２と遮蔽板５とを、一体として、図１に示すように、遮蔽板５における流量調整口４の底辺４ｃが、上方のガイド板７における円弧面７ａの前縁に近接するようにして、流量調整口４の大部分が流出口２に露呈する全開位置と、すべての流量調整口４が流出口２に全く露呈することがない全閉位置との間に亘って回動させることができ、かつその開度は、開度目盛り１８と指針１９により示される。
【００３０】
遮蔽板５が、全開位置から全閉位置までの範囲を超えて回動するのを防止するため、ケーシング３における左右の側板３ｃ、３ｄのいずれか一方または両方に、支持板１３の縁に当接するようにしたストッパを設けたり、ギヤボックス９内に、回転軸１２の回動範囲を規制するストッパを設けたりするのがよい(いずれも図示略)。
【００３１】
以上のような構成とした本発明の流量調整装置によると、ケーシング３の流出口２の開口部２ａと遮蔽板５の流量調整口４との重合部分により、流通する流体の流量を規制することができるので、遮蔽板５を往復運動させるだけで、流量を簡単かつ適正に制御することができる。しかも、従来の装置における整流板のような特殊な部材を設ける必要がないので、構造を簡素化しうるだけでなく、高精度の精密な加工を必要とせず、容易に製造することができる。
【００３２】
図６は、流量調整口４の形状の変形例を示す。この例では、ほぼ倒立二等辺三角形をなす流量調整口４における左右の対向辺４ａ、４ｂを、中央部が互いに内方に突出する円弧状、または放物線状の湾曲形状としてある。
【００３３】
流量調整口４の形状を図６に示すものとして実験を行ったときの結果を、図７に示してある。
図７において、横軸は回転軸１２の回転角度、縦軸は流量調整装置を通過する風量(ＣＭＨ)を示す。切目線Ａ１は、実験結果１を、直線Ａ０は、切目線Ａ１に近似する理想直線を、１点鎖線Ｂ１は、実験結果１とは初期の風速を異ならせた実験結果２を、直線Ｂ０は、１点鎖線Ｂ１に近似する理想直線を示す。
【００３４】
この図７から明らかなように、切目線Ａ１、および１点鎖線Ｂ１は、ともに理想直線Ａ０、Ｂ０に近似し、通過風量が回転軸１２の回転角度に対して、ほぼ直線的に比例して増減することが判る。
このように、回転軸１２の回転角度に対して、通過風量がほぼ直線的に比例して増減することにより、自動制御が容易となる。
【００３５】
図８は、駆動手段２０を、上述の回転操作ハンドル１５による手動操作式の駆動手段６に代えて、モータ駆動式のもとした変形例を示す。
図８に示すように、この駆動手段２０は、上述の左右の側板３ｃ、３ｄのいずれか一方の外側面の設けた箱状のギヤボックス２１内において、回転軸１２に固嵌されたウォームホイール２２と、このウォームホイール２２と歯合するウォーム２３と、このウォーム２３の軸２３ａを回転させるモータ２４および減速機構２５とからなっている。
【００３６】
モータ２４はパルスモータとし、ウォーム２３の軸２３ａ、ひいては回転軸１２を、減速機構２５を介して正確に回転させることができるようにしてある。
【００３７】
このモータ２４を、空調装置全体の自動制御装置(図示略)により制御することによって、この流量調整装置の開度を自動制御することができる。
【００３８】
上記実施形態は、本発明の流量調整装置を、空調装置における風量調整装置に適用したものであるが、本発明は、上記実施形態に限定されるものではなく、例えば次のような変形した態様での実施が可能である。
（１）本発明の流量調整装置を、工場等において使用する水またはその他の液体の流量調整装置に適用する。
（２）各流量調整口４の対向辺４ａ、４ｂの形状を、上方または下方に向かって、漸次拡大する階段状とする。
（３）遮蔽板５に設ける流量調整口４の数を、１または複数とする。実用上は、５〜７個とするのが好ましい。
（４）ケーシング３の流体の流入口１を、遮蔽板５により開閉するようにする。
【符号の説明】
【００３９】
Ｓ  空間
１  流入口
２  流出口
３  ケーシング
３ａ  頂壁
３ｂ  底壁
３ｃ  左側板
３ｂ  右側板
４  流量調整口
４ａ、４ｂ  対向辺
４ｃ  底辺
５  遮蔽板
６  駆動手段
７、８  ガイド板
７ａ、８ａ  円弧面
７ｂ、７ｃ、８ｂ、８ｃ  垂直片
９  ギヤボックス
１０、１１  軸受
１２  回転軸
１３  支持板
１４  ウォームホイール
１５  操作ハンドル
１６  回転操作軸
１７  ウォーム
１８  開度目盛り
１９  指針
２０  駆動手段
２１  ギヤボックス
２２  ウォームホイール
２３  ウォーム
２３ａ  軸
２４  モータ
【図１】
2016027309.tif 000003
【図２】
2016027309.tif 000004
【図３】
2016027309.tif 000005
【図４】
2016027309.tif 000006
【図５】
2016027309.tif 000007
【図６】
2016027309.tif 000008
【図７】
2016027309.tif 000009
【図８】
2016027309.tif 000010
【国際調査報告】
2016027309.tif 000011
2016027309.tif 000012
2016027309.tif 000013
2016027309.tif 000014